(57)【要約】【課題】ユーザが補聴器を用いた視聴プログラムの視聴を中断したとき、中断された時点から視聴を再開できる補聴器を提供する。【解決手段】音声を出力する通信機器７０と音声の記録及び再生を制御する通信制御装置２０とに接続可能な補聴器１０であって、通信制御装置２０より第１音声信号を受信する第１信号受信部１３、通信機器７０より第２音声信号を受信する第２信号受信部１５、音声信号に対し信号処理を行う制御部１１、及び信号処理された音声信号を出力する音声出力部１７、を備える。制御部１１は、通信制御装置２０と接続中に通信機器７０と接続するとき、通信制御装置２０に対し音声の記録又は音声の再生中断を要求する制御指令部１１６、及び制御指令部１１６による要求後、第１音声信号と第２音声信号のうち第２音声信号を選択する音声選択部１１１を含む。音声出力部１７は、音声選択部１１１により選択された音声信号を出力する。【選択図】図４
2014232919.tif 000002
【特許請求の範囲】
【請求項１】
音声を出力する通信機器と音声の記録及び再生を制御する通信制御装置とに接続可能な補聴器であって、
前記補聴器の周囲音に基づく外部音声信号を入力する集音部、
前記通信制御装置より第１音声信号を受信する第１信号受信部、
前記通信機器より第２音声信号を受信する第２信号受信部、
前記外部音声信号と前記第１音声信号と前記第２音声信号とに対し信号処理を行う制御部、及び
前記制御部により信号処理された前記外部音声信号と前記第１音声信号と前記第２音声信号のうち少なくとも一つの音声信号を出力する音声出力部、
を備え、
前記制御部は、
前記通信制御装置と接続中に前記通信機器と接続するとき、前記通信制御装置に対し音声の記録又は音声の再生中断を要求する制御指令部、及び
前記制御指令部による要求後、前記第１音声信号と前記第２音声信号のうち前記第２音声信号を選択する音声選択部、
を含み、
前記音声出力部は、前記音声選択部により選択された音声信号を出力する、
補聴器。
【請求項２】
前記音声選択部は、前記制御指令部による要求後、前記通信制御装置より音声の記録又は音声の再生中断を開始することを示す信号を受信したことに応じて、前記第２音声信号を選択する、
請求項１に記載の補聴器。
【請求項３】
前記制御部は、前記通信機器による着信を知らせる着信音を生成する着信音生成部を更に含み、
前記音声出力部は、前記制御指令部による要求後、前記着信音を出力する、
請求項１又は２に記載の補聴器。
【請求項４】
前記通信機器との接続を終了するとき、
前記音声選択部は、前記第１音声信号と前記第２音声信号のうち前記第１音声信号を選択し、
前記制御指令部は、前記通信制御装置に対し音声の再生を要求する、
請求項１から３のいずれかに記載の補聴器。
【請求項５】
前記音声選択部は更に、前記外部音声信号を選択する、
請求項１から４のいずれかに記載の補聴器。
【請求項６】
前記音声出力部は、前記外部音声信号と、前記音声選択部により選択される前記第１音声信号又は前記第２音声信号とを所定の混合比に応じて合成した音声信号を出力する、
請求項１から４のいずれかに記載の補聴器。
【請求項７】
前記所定の混合比は、合成される音声信号に応じてそれぞれ設定される、
請求項６に記載の補聴器。
【請求項８】
補聴器と接続可能であり、音声の記録及び再生を制御する通信制御装置であって、
前記補聴器に対し音声信号を送信する送信部、
前記補聴器から音声の記録又は音声の再生中断を要求する制御信号を受信する受信部、及び
前記補聴器からの制御信号に応じて前記補聴器に送信中の音声の記録又は音声の再生中断を行う制御部、
を備える通信制御装置。
【請求項９】
前記送信部は、受信した制御信号に対し、送信中の音声の記録又は音声の再生中断の開始を知らせる信号を送信する、
請求項８に記載の通信制御装置。
【請求項１０】
前記１から７のいずれかに記載の補聴器、及び
前記補聴器に接続可能である、請求項８又は９に記載の通信制御装置、
を備える、補聴器システム。
【請求項１１】
音声を出力する通信機器と音声の記録及び再生を制御する通信制御装置とに接続可能な補聴器であって、前記補聴器の周囲音に基づく外部音声信号を入力する集音部と前記外部音声信号と前記通信制御装置より受信する第１音声信号と前記通信機器より受信する第２音声信号のうち少なくとも一つの音声信号を出力する音声出力部とを有する補聴器を制御するプログラムであって、
前記通信制御装置と接続中に前記通信機器と接続するとき、前記通信制御装置に対し音声の記録又は音声の再生中断を要求するステップ、
前記音声の記録又は音声の再生中断を要求後、前記第１音声信号と前記第２音声信号のうち前記第２音声信号を選択するステップ、及び
選択した前記第２音声信号を前記音声出力部より出力するステップ、
を実行させるプログラム。
【発明の詳細な説明】
【技術分野】
【０００１】
本開示は、電話、テレビ、ドアホン等音声を出力する通信機器に接続可能な補聴器、補聴器と通信可能であり音声の記録や再生を行う通信制御装置、補聴器及び通信制御装置を含む補聴器システム、補聴器による動作を実行させるプログラムに関する。
【背景技術】
【０００２】
従来、テレビ等の映像提供装置の視聴者が視聴中に電話等の着信があった場合、視聴中のプログラムを自動的或いは手動で録画する技術が知られている。（例えば、特許文献１、特許文献２、特許文献３参照）。これらの技術においては、映像提供装置が電話等の着信に応じて視聴中のプログラムの録画を開始し、視聴の中断によるプログラムの見逃しを防ぐことができる。
【先行技術文献】
【特許文献】
【０００３】
【特許文献１】特開２００６−２５４０１３号公報
【特許文献２】特開２０１１−２０５４６４号公報
【特許文献３】特許第４８８４５５１号公報
【発明の概要】
【発明が解決しようとする課題】
【０００４】
補聴器のユーザがテレビを視聴する場合、ユーザは補聴器にテレビ音声を入力して視聴する場合がある。このとき、電話等から着信があった場合、同時に補聴器の入力音声はテレビ音声から電話等の音声に強制的に切り換えられる。この場合、ユーザは手動で視聴プログラムの録画を行うことになるため、音声の切り換えから録画開始までの間視聴プログラムの一部を見逃してしまう可能性がある。
【０００５】
本開示は、ユーザが補聴器を用いた視聴プログラムの視聴を中断したとき、中断された時点から視聴を再開できる補聴器、通信制御装置、補聴器システム、及びプログラムを提供する。
【課題を解決するための手段】
【０００６】
本開示における補聴器は、音声を出力する通信機器と音声の記録及び再生を制御する通信制御装置とに接続可能な補聴器であって、補聴器の周囲音に基づく外部音声信号を入力する集音部、通信制御装置より第１音声信号を受信する第１信号受信部、通信機器より第２音声信号を受信する第２信号受信部、外部音声信号と第１音声信号と第２音声信号とに対し信号処理を行う制御部、及び制御部により信号処理された外部音声信号と第１音声信号と第２音声信号のうち少なくとも一つの音声信号を出力する音声出力部、を備える。制御部は、通信制御装置と接続中に通信機器と接続するとき、通信制御装置に対し音声の記録又は音声の再生中断を要求する制御指令部、及び制御指令部による要求後、第１音声信号と第２音声信号のうち第２音声信号を選択する音声選択部、を含む。音声出力部は、音声選択部により選択された音声信号を出力する。
【０００７】
本開示における通信制御装置は、補聴器と接続可能であり、音声の記録及び再生を制御する通信制御装置であって、補聴器に対し音声信号を送信する送信部、補聴器から音声の記録又は音声の再生中断を要求する制御信号を受信する受信部、及び補聴器からの制御信号に応じて補聴器に送信中の音声の記録又は音声の再生中断を行う制御部、を備える。
本開示における補聴器システムは、上記補聴器及び上記補聴器に接続可能である通信制御装置を備える。
【０００８】
本開示におけるプログラムは、音声を出力する通信機器と音声の記録及び再生を制御する通信制御装置とに接続可能な補聴器であって、補聴器の周囲音に基づく外部音声信号を入力する集音部と、外部音声信号と通信制御装置より受信する第１音声信号と通信機器より受信する第２音声信号のうち少なくとも一つの音声信号を出力する音声出力部とを有する補聴器を制御するプログラムである。同プログラムは、通信制御装置と接続中に通信機器と接続するとき、通信制御装置に対し音声の記録又は音声の再生中断を要求するステップ、音声の記録又は音声の再生中断を要求後、第１音声信号と第２音声信号のうち第２音声信号を選択するステップ、及び選択した第２音声信号を音声出力部より出力するステップを実行させる。
【発明の効果】
【０００９】
本開示における補聴器、通信制御装置、補聴器システム、及びプログラムは、ユーザが補聴器を用いた視聴プログラムの視聴を中断したとき、中断された時点から視聴を再開するのに有効である。
【図面の簡単な説明】
【００１０】
【図１】補聴器システムの概略構成図
【図２】補聴器の概略構成図
【図３】補聴器に接続可能なテレビシステムの通信制御装置の概略構成図
【図４】実施の形態１に係る補聴器の制御部の概略構成図
【図５】実施の形態１に係る補聴器の動作を示すフローチャート
【図６】実施の形態１に係るテレビシステムの通信制御装置の動作を示すフローチャート
【図７】実施の形態１の変形例に係る補聴器の動作の一部を示すフローチャート
【図８】実施の形態２に係る補聴器の制御部の概略構成図
【図９】実施の形態２に係る補聴器の動作を示すフローチャート
【図１０】実施の形態３に係る補聴器の制御部の概略構成図
【図１１】実施の形態３に係る補聴器の動作の一部を示すフローチャート
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
説明中で同じ符号、記号、数字は、特に説明が無い限り、同じ構成要素を示すものとする。また、特に説明が無い限り本発明に必須でない構成要素は図示しないものとする。
【００１２】
（補聴器システム１の概要）
図１は、補聴器システム１の全体構成を概略的に示す。補聴器システム１は、補聴器１０と、補聴器に接続可能なテレビシステム３０と、補聴器１０にそれぞれ接続可能なドアホンシステム５０、固定電話７０、携帯電話９０等（以下、総称して通信機器とも呼ぶ）を備える。また、補聴器１０とテレビシステム３０とは、Ｂｌｕｅｔｏｏｔｈ（登録商標）等により無線接続される。また、補聴器１０とドアホンシステム５０や固定電話７０とは、例えば、ＤＥＣＴ(Digital Enhanced Cordless Telecommunications)、無線ＬＡＮ、Ｂｌｕｅｔｏｏｔｈ（登録商標）等により無線接続される。補聴器１０と携帯電話９０とはＢｌｕｅｔｏｏｔｈ（登録商標）等により無線接続される。無線接続は公知の接続方法（認証等）を経て実行される。
【００１３】
通信機器のうち、ドアホンシステム５０は、呼び出し信号の発信を行う親機５１や、親機５１と接続される監視カメラ５２、各種センサ５３（火災センサ、窓センサや侵入センサを含む防犯センサ等）、子機５４等、を備える。なお、ドアホンシステム５０はテレビシステム３０に接続され、各種センサ５３からの通知による警告や監視カメラ５２の映像を後述する表示装置に表示させてもよい。
【００１４】
通信機器は図示されたものに限定されず、上記の通り無線により補聴器１０に接続可能な通信機器であれば他の機器であってもよい。また、補聴器１０は、全ての通信機器に接続可能でなくともよく、その一部だけに接続可能であってもよい。
【００１５】
（補聴器１０の構成）
図２は、本実施の形態に係る補聴器１０（補聴器の一例）の概略構成を示す。
補聴器１０は、耳介の後ろに引っ掛けて装着する耳掛けタイプ、耳甲介を覆うように装着される耳穴タイプ、補聴器の大部分を外耳道に挿入して装着されるカナルタイプ、完全外耳道挿入型であるＣＩＣ(Completely In the Canal)タイプ、アンプを備えたケースとイヤホンとが別体であるポケットタイプ等、いずれのタイプであってもよい。
補聴器１０は、ＤＳＰ（Digital Signal Processor）１１（制御部の一例）と、メモリ１２と、テレビシステム３０からの信号を受信する第１信号受信部１３（第１信号受信部の一例）と、テレビシステム３０に対する制御信号を送信する制御信号送信部１４と、固定電話７０からの信号を受信する第２信号受信部１５（第２信号受信部の一例）と、マイクロホン１６（集音部の一例）と、レシーバ１７（音声出力部の一例）と、を備える。
【００１６】
ＤＳＰ１１は、メモリ１２等から読み出される所定のプログラムを実行することにより、Ａ／Ｄ変換された信号（主に音声信号）に対し信号処理を行う制御部である。メモリ１２は、プログラムや種々のデータを格納する。
第１信号受信部１３は、テレビシステム３０より受信する信号（接続要求信号、呼び出し信号、テレビ音声信号等）を無線受信する。第１信号受信部１３により受信された信号は、増幅や復調、Ａ/Ｄ変換を経てＤＳＰ１１に入力される。
【００１７】
制御信号送信部１４は、ＤＳＰ１１により生成された制御信号（後述する録画要求信号、再生中断信号、再生要求信号等）を、Ｄ/Ａ変換、変調や増幅を経てテレビシステム３０に送信する。
第２信号受信部１５は、通信機器より受信する信号（音声信号、接続要求信号、呼び出し信号等）を無線受信する。第２信号受信部１５により受信された信号は、増幅や復調、Ａ/Ｄ変換を経てＤＳＰ１１に入力される。
【００１８】
マイクロホン１６は、補聴器１０に設けられた音口と音口に入ってきた周囲音を集音する。マイクロホン１６は集音したマイク音声信号をアナログの電気信号に変換して出力する。マイクロホン１６から出力されたマイク音声信号は、増幅され、Ａ／Ｄ変換された後、ＤＳＰ１１に入力される。
レシーバ１７は、後述するようにＤＳＰ１１により選択された音声信号を、Ｄ/Ａ変換、増幅を経て出力する。出力された音は補聴器１０を装着されたユーザの耳に伝達される。
【００１９】
（テレビシステム３０の構成）
図３は、本実施の形態に係るテレビシステム３０の概略構成を示す。テレビシステム３０は、通信制御装置２０（通信制御装置の一例）と、表示装置４１と、記録再生装置４２とを備える。なお、これらの装置は一つの映像提供装置として構成されていてもよく、或いは一部又は全て別々の機器であって互いに接続された装置として設けられていてもよい。
【００２０】
通信制御装置２０は、制御部２２と、メモリ２３と、表示制御部２４と、送信部２５と、受信部２６とを備える。制御部２２はＣＰＵ等のプロセッサにより構成され、メモリ２３、表示制御部２４、送信部２５、受信部２６を制御する。メモリ２３は、プログラムや種々のデータを格納する。表示制御部２４は、制御部２２の指令に応じて表示装置４１により表示する映像データを生成し、表示させる。
【００２１】
送信部２５は、無線接続インターフェースであり、例えば、補聴器１０と接続確立後に視聴中のテレビ音声信号を送信する。受信部２６は、無線接続インターフェースであり、例えば、補聴器１０からの制御信号を受信し、制御部２２に送信する。
制御部２２は更に、録画制御部２２１と再生制御部２２３を有する。録画制御部２２１は、補聴器１０より受信部２６を介して受信した録画要求信号に応じて記録再生装置４２に対し視聴中（テレビ音声信号送信中）のプログラムの録画を開始する。再生制御部２２３は、補聴器１０より受信部２６を介して受信した再生中断信号又は再生開始信号に応じて記録再生装置４２に記録された視聴プログラムの再生を中断又は開始する。視聴プログラムが再生された場合、映像は表示装置４１に表示され、音声信号は送信部２５を介して補聴器１０に送信される。
【００２２】
表示装置４１は、通信制御装置２０に有線又は無線により接続され、ＬＣＤや有機ＥＬディスプレイ等の表示画面を有する。
記録再生装置４２は、通信制御装置２０に有線又は無線により接続され、補聴器１０からの記録要求信号やユーザの操作に応じて視聴プログラムを記録する。また、記録再生装置４２はハードディスクや光ディスク等の記録メディアドライブに接続され、テレビプログラムを記録する。
【００２３】
（実施の形態１）
［１−１．  構成］
以下、本発明の一つの実施形態について、補聴器システム１が、補聴器１０と、テレビシステム３０と、通信機器としての固定電話７０とを備える場合を例に挙げて説明する。
図４は、主に、補聴器１０の動作を実行させるＤＳＰ１１の制御部を示す。ＤＳＰ１１は、メモリ１２等から読み出した所定のプログラムを実行することにより、音声選択部１１１（音声選択部の一例）、補聴処理部１１２を含む音声処理部１１３、信号判定部１１５、制御指令部１１６（制御指令部の一例）、及び着信音生成部１１７（着信音生成部の一例）による機能を実行する。
【００２４】
音声選択部１１１は、マイクロホン１６より入力されるマイク音声信号と、第１信号受信部１３より入力されるテレビ音声信号と、第２信号受信部１５より入力される電話音声信号とを、後述する信号判定部１１５からの指令に応じて選択・変更する。
音声処理部１１３に含まれる補聴処理部１１２は、音声選択部１１１により選択されたマイク音声信号に対して、補聴処理を行う。具体的には、補聴処理部１１２は、メモリ１２等から読み出したプログラムの手順や設定値に従い、マイク音声信号に対して補聴器装用者の聴力に合わせた信号処理を行う。補聴処理部１１２より出力されたマイク音声信号は、音声処理部１１３に出力される。
【００２５】
音声処理部１１３は、音声選択部１１１による選択に応じて、マイク音声信号、テレビ音声信号、又は電話音声信号のいずれかを入力する。音声処理部１１３はまた、テレビ音声信号又は電話音声信号が入力された場合、所定の音声信号処理を行う。音声処理部１１３より処理されたマイク音声信号、テレビ音声信号、又は電話音声信号は、Ｄ/Ａ変換、増幅を経てレシーバ１７により出力される。
【００２６】
信号判定部１１５は、固定電話７０より接続要求信号又は接続終了信号が入力されたかどうか、つまり着信があったか又は通話が終わったかどうかを判定する。着信があった場合は、音声選択部１１１に指令して電話音声信号を選択させる。通話が終わった場合は、音声選択部１１１に指令してマイク音声信号又はテレビ音声信号を選択させる。
制御指令部１１６は、信号判定部１１５が着信有りと判定した場合は、制御信号（録画要求信号又は再生中断信号）を生成し、制御信号送信部１４を介してテレビシステム３０に送信する。制御指令部１１６はまた、送信した制御信号に基づきテレビの動作状態（録画中、再生中、再生中断中等）をメモリに記憶・更新する。
着信音生成部１１７は、制御指令部１１６が録画要求信号又は再生中断信号を送信した場合、着信音に相当する音を生成し、音声処理部１１３を介してレシーバ１７より出力する。
【００２７】
［１−２．  動作］
［１−２−１．  補聴器の動作］
図５は、本実施の形態に係る補聴器１０の動作を示す。
【００２８】
ステップＳ１０１：補聴器１０の信号判定部１１５は、固定電話７０より接続要求信号を受信したかどうかを判定する。受信したと判断した場合はステップＳ１０２に進む。
ステップＳ１０２：音声選択部１１１は、テレビシステム３０の通信制御装置２０と接続中であるかどうかを判定する。接続中である場合はステップＳ１０３に進み、接続中でない場合、つまりマイク音声のみ受信可能な状態である場合はステップＳ１０６に進む。
【００２９】
ステップＳ１０３：制御指令部１１６は、メモリに記憶したテレビの動作状態に基づき接続中のテレビが録画を再生中であるかどうかを判定する。録画再生中であればステップＳ１０５に進み、録画再生中でない場合はステップＳ１０４に進む。
ステップＳ１０４：制御指令部１１６は、録画要求信号を制御信号送信部１４を介してテレビシステム３０に送信する。
【００３０】
ステップＳ１０５：録画再生中である場合は、制御指令部１１６は、再生中断要求信号を制御信号送信部１４を介してテレビシステム３０に送信する。
ステップＳ１０６：固定電話７０との接続後、音声選択部１１１は、電話音声信号を選択し、音声処理部１１４を介してレシーバ１７より出力可能にする。
ステップＳ１０７：着信音生成部１１７は、制御指令部１１６による録画要求信号送信後、着信音を生成し、音声処理部１１３を介してレシーバ１７より出力する。この着信音の出力により、補聴器１０のユーザは固定電話７０に着信があることを認知する。
【００３１】
ステップＳ１０８：信号判定部１１５は、固定電話７０による通話が終了したかどうかを判定する。通話が終了した場合は、ステップＳ１０９に進む。ここで、通話が終了したとは、例えば固定電話との接続が終了したことに基づき判断してもよいし、固定電話７０から通話を終了したことを知らせる信号を受信することにより判断してもよい。
ステップＳ１０９：制御指令部１１６は、記憶するテレビの動作状態が録画中又は再生中断中であるかを判定する。録画中又は再生中断中であればステップＳ１１０に進み、いずれでもない場合はステップＳ１１２に進む。
【００３２】
ステップＳ１１０：音声選択部１１１は、テレビ音声を選択し、音声処理部１１４を介してレシーバ１７より出力可能にする。
ステップＳ１１１：制御指令部１１６は、再生開始信号を制御信号送信部１４を介してテレビシステム３０に送信する。
ステップＳ１１２：一方、ステップＳ１０９において録画中でも再生中断中でもないと判定された場合は、音声選択部１１１は、マイク音声を選択し、音声処理部１１４を介してレシーバ１７より出力可能にする。
【００３３】
［１−２−２．  テレビシステムの動作］
図６は、本実施の形態に係るテレビシステム３０が、補聴器１０より制御信号を受信したときの動作を示す。
（録画要求信号を受信した場合）
ステップＳ１２１：通信制御装置２０の制御部２２は、受信部２６を介して補聴器１０より録画要求信号を受信する。
【００３４】
ステップＳ１２２：制御部２２の録画制御部２２１は、記録再生装置４２に指令信号を送信し、視聴中のプログラムの録画を開始させる。
ステップＳ１２３：通信制御装置２０の制御部２２は、受信部２６を介して補聴器１０より再生要求信号を受信したかどうかを判定する。再生要求信号を受信した場合は、後述するステップＳ１３２に進むみ、受信していない場合はステップＳ１２４に進む。
【００３５】
ステップＳ１２４：録画制御部２２１は、録画を終了させる動作や録画を終了させる状態遷移があったかどうかを判定する。録画を終了させる動作とは例えばユーザがテレビシステム３０を直接操作することにより録画を終了させる場合を含む。録画を終了させる状態遷移とは、例えば録画していた視聴プログラムが終了した場合を含む。録画を終了させる場合は、ステップＳ１２５に進む。
【００３６】
ステップＳ１２５：録画制御部２２１は、記録再生装置４２に指令信号を送信し、視聴プログラムの録画を終了させる。
【００３７】
（再生要求信号を受信した場合）
ステップＳ１３１：通信制御装置２０の制御部２２は、受信部２６を介して補聴器１０より再生要求信号を受信する。
ステップＳ１３２：制御部２２の再生制御部２２３は、記録再生装置４２及び表示制御部２４に指令信号を送信し、録画した視聴プログラムの再生を開始させる。なお、このとき、後述するステップＳ１４１〜Ｓ１４２の動作により再生が中断している場合、再生制御部２２３は、メモリ２３等に記憶された再生中断位置を取得し、当該中断位置から再生を開始する。
【００３８】
ステップＳ１３３：制御部２２の再生制御部２２３は、視聴プログラムの再生中に再生中断信号を受信したかどうかを判定する。受信した場合は、後述するステップＳ１４２に進み、受信していない場合はステップＳ１３４に進む。
ステップＳ１３４：再生制御部２２３は、再生を終了させる動作や再生を終了させる状態遷移があったかどうかを判定する。再生を終了させる動作とは例えばユーザがテレビシステム３０を直接操作することにより再生を終了させる場合を含む。再生を終了させる状態遷移とは、例えば録画したプログラムの再生が完了した場合を含む。再生を終了させる場合は、ステップＳ１３５に進む。
【００３９】
ステップＳ１３５：再生制御部２２３は、記録再生装置４２及び表示制御部２４に指令信号を送信し、再生動作を終了させる。
（再生中断信号を受信した場合）
ステップＳ１４１：通信制御装置２０の制御部２２は、受信部２６を介して補聴器１０より再生中断信号を受信する。
ステップＳ１４２：再生制御部２２３は、記録再生装置４２及び表示制御部２４に指令信号を送信し、再生動作を中断する。再生を中断した場合、再生制御部２２３は、メモリ２３等により中断位置を記憶する。
【００４０】
［１−３．  効果等］
上記実施の形態に係る補聴器１０は、テレビシステム３０の通信制御装置２０と接続中に固定電話７０と接続するとき、通信制御装置２０に対し録画要求信号又は再生中断信号を送信した後、固定電話７０の音声を選択して出力する。このため、ユーザが視聴中のプログラムの視聴を中断しなければならないときでも、中断された時点から視聴を再開することができる。
【００４１】
上記実施の形態に係る補聴器１０は、テレビシステム３０の通信制御装置２０に対し録画要求信号又は再生中断信号を送信した後、着信音を生成しレシーバ１７より出力するため、ユーザが固定電話７０からの着信を認知した時点でテレビ映像の録画又は再生中断が行われる。従って、ユーザは視聴プログラムの見逃しを防ぐことができる。
上記実施の形態に係る補聴器１０は、固定電話７０との接続が終了するとき、テレビ音声を選択し、通信制御装置２０に対して再生要求信号を送信する。このため、ユーザは中断された視聴プログラムの視聴を円滑に再開することができる。
【００４２】
［１−４．  変形例］
上記実施の形態において、補聴器１０は、テレビシステム３０に対して録画要求信号送信後にテレビ音声から電話音声に切り替えているが、これに限定されない。テレビシステム３０において録画が確実に行われていることを確認してから、電話音声への切り換えるようにしてもよい。
【００４３】
図７は、補聴器１０から録画要求信号に対して、テレビシステム３０から録画開始信号を受信してから、電話音声への切り換えを行う動作を示すものである。
ステップＳ１５１〜Ｓ１５５は、図５のステップＳ１０１〜Ｓ１０５と同じである。
ステップＳ１５４において、補聴器１０より録画要求信号を受信したテレビシステム３０の通信制御装置２０の制御部２２は、録画開始信号を生成し、送信部２５を介して補聴器１０に送信する。
【００４４】
ステップＳ１５６において、補聴器１０の第１信号受信部１３がテレビシステム３０より録画開始信号を受信したかどうかを判定する。
ステップＳ１５７において、第１信号受信部１３がテレビシステム３０より録画開始信号を受信すると、ＤＳＰ１１の音声選択部１１１は電話音声信号を選択する。その後の処理は、図５と同じである。
【００４５】
以上の動作により、補聴器１０は、テレビシステム３０において録画が確実に行われていることを確認してから、電話音声へ切り換えることができる。
なお、ステップＳ１５６における録画開始信号の受信の判断処理は制限時間を設けてもよい。例えば、一定時間以上テレビシステム３０より録画開始信号を受信しない場合は、強制的に電話音声へ切り換えるようにしてもよい。
【００４６】
（実施の形態２）
［２−１．  構成］
以下、実施の形態２について説明する。なお、実施の形態１と同様の構成については同様の符号を付し、説明は省略する場合がある。
本実施の形態においては、補聴器システム１が、補聴器１０と、テレビシステム３０と、通信機器としてドアホンシステム５０とを備える場合を例に挙げて説明する。
【００４７】
図８は、本実施の形態に係る補聴器１０の制御部の概略構成を示す。ＤＳＰ１１’は操作部１８からの信号を受信するように接続される。ＤＳＰ１１’は、実施の形態１と同様に、メモリ１２等から読み出した所定のプログラムを実行することにより、音声選択部１１１’、補聴処理部１１２、音声処理部１１３’、信号判定部１１５’、及び制部指令部１１６の機能を実行する。
【００４８】
実施の形態１と異なる点は、補聴器１０が操作部１８を備えることと、ＤＳＰ１１’において音声選択部１１１’と音声処理部１１３’と信号判定部１１５’がドアホン音声を処理することと、ＤＳＰ１１’が着信音生成部を設けていないことである。
操作部１８は、ユーザが操作可能なスイッチやボタン等であり、ＤＳＰ１１の音声選択部１１１’に接続され、操作部１８からの信号に応じてマイク音声、テレビ音声、ドアホン音声を切り換える。
【００４９】
音声選択部１１１’は、マイクロホン１６より入力されるマイク音声信号と、第１信号受信部１３より入力されるテレビ音声信号と、第２信号受信部１５より入力されるドアホン音声信号とを、後述する信号判定部１１５’からの指令や前述の操作部１８７からの信号に応じて選択・変更する。
音声処理部１１３’に含まれる補聴処理部１１２は、実施の形態１と同様に、音声選択部１１１’により選択されたマイク音声信号に対して、補聴処理を行う。
【００５０】
音声処理部１１３’は、音声選択部１１１’による選択に応じて、マイク音声信号、テレビ音声信号、又はドアホン音声信号のいずれかを入力する。音声処理部１１３’はまた、テレビ音声信号又はドアホン音声信号が入力された場合、所定の音声信号処理を行う。音声処理部１１３’より出力されたマイク音声信号、テレビ音声信号、又はドアホン音声信号は、Ｄ/Ａ変換、増幅を経てレシーバ１７により出力される。
【００５１】
信号判定部１１５’は、ドアホンシステム５０より呼び出し信号を受信したかどうかを判定する。呼び出しがあった場合は、音声選択部１１１’に指令してマイク音声信号又はドアホン音声信号を選択させる。
制御指令部１１６は、信号判定部１１５’が呼び出し信号の受信を判定した場合は、制御信号（録画要求信号又は再生中断信号）を生成し、制御信号送信部１４を介してテレビシステム３０に送信する。制御指令部１１６はまた、送信した制御信号に基づきテレビの動作状態（録画中、再生中、再生中断中等）をメモリに記憶・更新する。
なお、実施の形態においては着信音生成部は設けず、音声選択部１１１’によりドアホン音声選択後、呼び出し音を音声処理部１１３’を介してレシーバ１７に出力する。
【００５２】
［２−２．  動作］
図９は、本実施の形態に係る補聴器１０の動作を示す。
ステップＳ２０１：補聴器１０の信号判定部１１５’は、ドアホンシステム５０より呼び出し信号を受信したかどうかを判断する。受信したと判断した場合はステップＳ２０２に進む。
【００５３】
ステップＳ２０２：音声選択部１１１’は、テレビシステム３０の通信制御装置２０と接続中であるかどうかを判定する。接続中である場合はステップＳ２０３に進み、接続中でない場合、つまりマイク音声のみ受信可能な状態である場合はステップＳ２０６に進む。
ステップＳ２０３：制御指令部１１６は、メモリに記憶したテレビの動作状態に基づき接続中のテレビが録画を再生中であるかどうかを判定する。録画再生中であればステップＳ２０５に進み、録画再生中でない場合はステップＳ２０４に進む。
【００５４】
ステップＳ２０４：制御指令部１１６は、録画要求信号を制御信号送信部１４を介してテレビシステム３０に送信する。
ステップＳ２０５：録画再生中である場合は、制御指令部１１６は、再生中断要求信号を制御信号送信部１４を介してテレビシステム３０に送信する。
ステップＳ２０６：音声選択部１１１’は、ドアホン電話音声信号を選択し、音声処理部１１４を介してレシーバ１７より出力可能にする。これにより、レシーバ１７よりインタイーホンの呼び出し音が出力される。
本実施の形態においては、ドアホン音声を選択した後テレビ音声に再び切り換える場合、ユーザが操作部１８を操作することにより手動で音声を切り換える、また、テレビシステム３０に対しては、ユーザがテレビシステム３０を操作することにより録画再生や再生中断の解除を行うことができる。
【００５５】
［２−３．  効果等］
上記実施の形態に係る補聴器１０は、テレビシステム３０の通信制御装置２０と接続中にドアホンシステム５０と接続するとき、通信制御装置２０に対し録画要求信号又は再生中断信号を送信した後、ドアホン音声を選択して出力する。このため、ユーザが視聴中のプログラムの視聴を中断しなければならないときでも、中断された時点から視聴を再開することができる。
本実施の形態においては、ドアホン音声を選択した後テレビ音声に再び切り換える場合、ユーザが操作部１８を操作することにより手動で音声を切り換えることができる。このため、ドアホンシステム５０との接続終了後に、接客等によってテレビ視聴を再開することができない場合でも、ユーザは適時に視聴を再開できる。
【００５６】
［２−４．  変形例］
（１）
上記実施の形態においても、実施の形態１と同様に、補聴器１０が録画要求信号送信後、テレビシステム３０から録画開始信号を受信してから、ドアホン音声への切り換えを行うようにしてもよい。
つまり、図９のステップＳ２０４において制御指令部１１６が録画要求信号をテレビシステム３０に送信後、信号判定部１１５’はテレビシステム３０より録画開始信号を受信したかどうかを判断し、受信した場合ドアホン音声に切り換える。
【００５７】
（２）
上記実施の形態においても、実施の形態１と同様に、ＤＳＰ１１’に着信音生成部
を設けて、ドアホンの呼び出し音を生成してレシーバ１７により出力するようにしてもよい。
【００５８】
（実施の形態３）
［３−１．  構成］
以下、実施の形態３について説明する。なお、実施の形態１と同様の構成については同様の符号を付し、説明は省略する場合がある。
本実施の形態においては、実施の形態1と同様に、補聴器システム１が、補聴器１０と、テレビシステム３０と、通信機器として固定電話７０とを備える場合を例に挙げて説明する。
【００５９】
図１０は、本実施の形態に係る補聴器１０の制御部の概略構成を示す。ＤＳＰ１１”は、実施の形態１と同様に、メモリ１２等から読み出した所定のプログラムを実行することにより、音声選択部１１１”、補聴処理部１１２、音声処理部１１３”、信号判定部１１５、制部指令部１１６、及び着信音生成部１１７による機能を実行する。ＤＳＰ１１”は更に、所定の混合比によりマイク音声とテレビ音声又は電話音声とを混合する音声合成部１９に接続される。
【００６０】
実施の形態１と異なる点は、マイク音声が音声選択部１１１”によって選択されずレシーバ１７により常時出力可能であることと、音声合成部１９を備えることである。
音声選択部１１１”は、第１信号受信部１３より入力されるテレビ音声信号と、第２信号受信部１５より入力される電話音声信号とを、後述する信号判定部１１５からの指令に応じて選択・変更する。
【００６１】
音声処理部１１３”に含まれる補聴処理部１１２は、マイクロホン１６より入力されるマイク音声信号に対して、実施の形態１と同様に補聴処理を行う。
音声処理部１１３”は、音声選択部１１１”による選択に応じてテレビ音声信号又は電話音声信号のいずれかを入力する。音声処理部１１３”はまた、テレビ音声信号又は電話音声信号に対して所定の音声信号処理を行う。音声処理部１１３”より出力されたマイク音声信号と、テレビ音声信号又は電話音声信号とは、Ｄ/Ａ変換、増幅を経てレシーバ１７により出力される。
【００６２】
信号判定部１１５は、固定電話７０より接続要求信号又は接続終了信号が入力されたかどうか、つまり着信があったか又は通話が終わったかどうかを判定する。着信があった場合は、音声選択部１１１”に指令して電話音声信号を選択させる。通話が終わった場合は、音声選択部１１１”に指令してテレビ音声信号を選択させる。
制御指令部１１６は、信号判定部１１５が着信有りと判定した場合は、制御信号（録画要求信号又は再生中断信号）を生成し、制御信号送信部１４を介してテレビシステム３０に送信する。制御指令部１１６はまた、送信した制御信号に基づきテレビの動作状態（録画中、再生中、再生中断中等）をメモリに記憶・更新する。
【００６３】
着信音生成部１１７は、制御指令部１１６が録画要求信号又は再生中断信号を送信した場合、着信音に相当する音を生成し、音声処理部１１３”を介してレシーバ１７に出力する。
音声合成部１９は、所定の混合比によりマイク音声と、テレビ音声又は電話音声とを混合する。なお、この混合比は、補聴器１０のフィッティング等でユーザの好みに応じて設定できる。
【００６４】
この混合比は、一定であってもよく、或いは合成する対象である音声によって異ならせてもよい。混合比を音声によって異ならせる場合は、音声の種類に応じて合成しないように設定することもできる。例えば、テレビ音声を受信している場合は、音声合成部によりマイク音声と合成して出力し、緊急性の高い可能性のある電話音声の場合は、マイク音声の混合比を０として電話音声のみを出力するようにしてもよい。
所定の混合比で重畳されたマイク音声と、テレビ音声又は電話音声とはレシーバ１７を介して出力される。
【００６５】
［３−２．  動作］
本実施の形態においては、実施の形態1と異なり、マイク音声を選択する必要がない。従って、図５のステップＳ１０８〜Ｓ１１２は図１１の次のステップＳ３０８〜Ｓ３１０に置き換えて実行することが可能となる。
【００６６】
ステップＳ３０８：信号判定部１１５は、実施の形態１と同様に、固定電話７０による通話が終了したかどうかを判定する。
ステップＳ３０９：通話が終了した場合は、音声選択部１１１”は、テレビ音声を選択し、音声処理部１１３”を介してレシーバ１７より出力可能にする。
ステップＳ３１０：制御指令部１１６は、再生開始信号を制御信号送信部１４を介してテレビシステム３０に送信する。
【００６７】
［３−３．  効果等］
上記実施の形態に係る補聴器１０は、テレビシステム３０の通信制御装置２０と接続中に固定電話７０と接続するとき、通信制御装置２０に対し録画要求信号又は再生中断信号を送信した後、固定電話７０の音声を選択して出力する。このため、ユーザが視聴中のプログラムの視聴を中断しなければならないときでも、中断された時点から視聴を再開することができる。
上記実施の形態に係る補聴器１０は、補聴器の周囲音であるマイク音声は出力可能な状態としつつ、テレビ音声又は電話音声を選択するため、ユーザは補聴器の機能を維持しつつ必要性の高いテレビ音声や電話音声を確実に聞くことができる。
【００６８】
［３−４．  変形例］
上記実施の形態は、実施の形態２（図８）と同様にドアホン音声信号を受信する場合も適用できる。この場合、音声選択部１１１”は、第１信号受信部１３より入力されるテレビ音声信号と、第２信号受信部１５より入力されるドアホン音声信号とを、信号判定部１１５からの指令に応じて選択・変更し、マイク音声信号は常時出力可能な状態とされる。マイク音声と、選択されるテレビ音声又はドアホン音声とは、音声合成部１９により所定の混合比によりを混合される。
【００６９】
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
【００７０】
（１）
上記実施の形態においては、ドアホンシステム５０（図１）を用いて、各種センサからの通報信号も第２信号受信部１５（図２）を介して補聴器１０により受信することもできる。第２信号受信部１５により受信された通報信号は、実施の形態１と同様にＤＳＰ１１の信号判定部１１５により着信を判定され、制御指令部１１６により制御信号の送信後、着信音生成部１１７により通報音が生成され、音声処理部１１３を介してレシーバ１７より出力されるようにしてもよい。
或いは、実施の形態２と同様に、ドアホンシステム５０より受信した通報音を音声選択部１１１’により選択し、音声処理部１１３’を介してレシーバ１７より出力されるようにしてもよい。
【００７１】
（２）
上記実施の形態において、補聴器１０は二つ以上の機器により構成されていてもよい。例えば、図１に示す第１信号受信部１３、制御信号送信部１４、第２信号受信部１５、ＤＳＰ１１、及びメモリ１２を内蔵する制御部と、ユーザの耳付近に装着されるマイクロホン１６及びレシーバ１７を有する補聴器本体とを、別体として、互いに接続させた形態であってもよい。
また、補聴器１０の第１信号受信部１３及び第２信号受信部１５は、必ずしも別に設ける必要なく、例えばテレビシステム３０と同じ通信規格で接続される通信機器であれば単一の受信部として設けてもよい。
【００７２】
（３）
上記実施の形態において、補聴器１０はテレビシステム３０に代えて音声のみを出力・再生する機器（例えば、ラジオ、その他オーディオ機器等）と接続してもよい。
（４）
上記実施の形態において、テレビシステム３０の通信制御装置２０はテレビ本体、記録再生装置に内蔵されていてもよいし、別体としてテレビ本体又は記録再生装置に接続される機器であってもよい。
【００７３】
（５）
上記実施の形態においては、音声処理部１１３、１１３’、１１３”に含まれる補聴処理部１１２には、マイク音声信号のみ入力され補聴処理を行っているが、これに限定されない。その他の音声（テレビ音声、電話音声、ドアホン音声、生成された着信音等）を補聴処理部１１２に入力するようにして、これらの音声をユーザにより良く聴かせるために補聴処理を行ってもよい。
【００７４】
（６）
上記実施形態で説明した補聴器１０やテレビシステム３０の通信制御装置において、各ブロックは、ＬＳＩなどの半導体装置により個別に１チップ化されても良いし、一部又は全部を含むように１チップ化されても良い。なお、ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
【００７５】
（７）
また、上記各実施形態の各機能ブロックの処理の一部または全部は、プログラムにより実現されるものであってもよい。また、それぞれの処理を行うためのプログラムは、ハードディスク、ＲＯＭなどの記憶装置に格納されており、ＲＯＭにおいて、あるいはＲＡＭに読み出されて実行される。
また、上記実施形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。なお、上記実施形態に係る通信システム、ホスト装置、周辺装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【００７６】
（８）
また、上記実施形態における処理方法の実行順序は、必ずしも、上記実施形態の記載に制限されるものではなく、発明の要旨を逸脱しない範囲で、実行順序を入れ替えることができるものである。
【００７７】
（９）
コンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ(登録商標)  Ｄｉｓｃ）、半導体メモリを挙げることができる。
上記コンピュータプログラムは、上記記録媒体に記録されたものに限られず、電気通信回線、無線又は有線通信回線、インターネットを代表とするネットワーク等を経由して伝送されるものであってもよい。
【産業上の利用可能性】
【００７８】
本開示は、補聴器又は補聴器を用いたシステム、補聴器を動作させるコンピュータプログラムとして適用可能である。
【符号の説明】
【００７９】
１          補聴器システム（補聴器システムの一例）
１０        補聴器（補聴器の一例）
１１        ＤＳＰ（制御部の一例）
１２        メモリ
１３        第１信号受信部（第１信号受信部の一例）
１４        制御信号送信部
１５        第２信号受信部（第２信号受信部の一例）
１６        マイクロホン（集音部の一例）
１７        レシーバ（音声出力部の一例）
１８        操作部
１９        音声合成部
２０        通信制御装置（通信制御装置の一例）
２２        制御部
２３        メモリ
２４        表示制御部
２５        送信部
２６        受信部
３０        テレビシステム
５０        ドアホンシステム
７０        固定電話
９０        携帯電話
【図１】
2014232919.tif 000003
【図２】
2014232919.tif 000004
【図３】
2014232919.tif 000005
【図４】
2014232919.tif 000006
【図５】
2014232919.tif 000007
【図６】
2014232919.tif 000008
【図７】
2014232919.tif 000009
【図８】
2014232919.tif 000010
【図９】
2014232919.tif 000011
【図１０】
2014232919.tif 000012
【図１１】
2014232919.tif 000013